(57)【要約】【課題】タンクへの回路ボックスの取付が容易で、かつ該タンクからの回路ボックスの脱落が確実に防止される洗浄装置及び回路ボックス固定方法を得る。【解決手段】洗浄装置１０では、タンク２４に、下方に開口し上下方向に沿ってリレーボックス６２が挿入される挿入口５４Ａ及び上下方向に直交する方向に開口した収容開口５４Ｂを有する回路収容凹部５４が凹設されると共に、収容開口５４を跨いで橋架する橋架部６０が突設されている。回路収容開口５４に収容されたリレーボックス６２は、その橋架部６０に対し挿入口５４Ａと反対側に位置するコネクタ部７０に接続されたコネクタ７２が橋架部６０に係合可能に配置され、該リレーボックス６２自体またはコネクタ７２の橋架部６０との係合によって回路収容開口５４からの抜き出し及び脱落が阻止される。【選択図】　　　図１
2004025955.tif 000002
【特許請求の範囲】
【請求項１】
洗浄液を貯留するタンクと、
前記タンクの表面を該タンク内側に窪ませて形成された第１収容凹部に収容把持されて取り付けられ、前記洗浄液を圧送可能なポンプ装置と、
前記タンクに取り付けられ、少なくとも前記ポンプ装置に配線を介して電気的に接続される電気回路を収容した回路ボックスと、
を備えた洗浄装置であって、
前記タンクは、表面を内側に窪ませて形成され前記回路ボックスが挿入される挿入口及び前記回路ボックスの挿入方向と交差する方向に開口する収容開口を有する第２収容凹部と、前記収容開口を橋架する橋架部とを有し、
前記回路ボックスは、前記第２収容凹部に収容された状態で前記橋架部に対し前記挿入口と反対側に位置する一部に設けられたコネクタ部を有し、該コネクタ部には前記配線の端部に設けられた外部コネクタが前記収容開口から接続される、
ことを特徴とする洗浄装置。
【請求項２】
前記回路ボックスは、表面から突設された突起部を有し、前記第２収容凹部に収容された状態で該突起部が前記橋架部に係合して前記タンクに仮保持される、ことを特徴とする請求項１記載の洗浄装置。
【請求項３】
前記第２収容凹部は、前記挿入方向における前記挿入口と反対側に位置する第１壁面と、前記交差する方向における前記収容開口と反対側に位置する第２壁面とを有する、ことを特徴とする請求項１または請求項２記載の洗浄装置。
【請求項４】
前記タンクは、前記第１収容凹部が設けられ主に前記洗浄液を貯留するロアタンクと、該洗浄液を注入する注入口が設けられたアッパタンクとを有し、前記ロアタンクとアッパタンクとがそれぞれの開口端から外方に延設された接合部において接合されて形成され、
前記第１壁面または第２壁面は、前記接合部を含んで形成されている、
ことを特徴とする請求項３記載の洗浄装置。
【請求項５】
前記タンクは、それぞれ樹脂成形より成るロアタンクとアッパタンクとが互いの開口端を溶着されて形成され、
前記第２収容凹部は、前記回路ボックスの挿入方向を前記ロアタンクまたはアッパタンクの樹脂成形時の型抜き方向に一致させ、かつ前記収容開口を前記挿入方向に直交する方向に開口させると共に前記挿入口と連設し、
前記橋架部は、前記収容開口の開口面よりも外方へ突出して該収容開口を跨いで橋架する、
ことを特徴とする請求項１乃至請求項３の何れか１項記載の洗浄装置。
【請求項６】
洗浄液を貯留するタンクと、
前記タンクに凹設された第１収容凹部に収容把持されて取り付けられ、前記洗浄液を圧送可能なポンプ装置と、
少なくとも前記ポンプ装置に配線を介して電気的に接続される電気回路を収容した回路ボックスと、
前記タンクの表面を内側に窪ませて形成され、前記回路ボックスが挿入される挿入口及び前記回路ボックスの挿入方向と交差する方向に開口する収容開口を有する第２収容凹部と、
を備えた洗浄装置の回路ボックス固定方法であって、
前記回路ボックスを前記挿入口から前記第２収容凹部に挿入し、該回路ボックスのコネクタ部が設けられた一部を、前記タンクに設けられ前記収容開口を橋架する橋架部に対し前記挿入口と反対側に位置させ、
次いで、前記橋架部に対し前記挿入口と反対側に位置する前記コネクタ部に、前記配線の端部に設けられた外部コネクタを前記収容開口から接続する、
ことを特徴とする洗浄装置の回路ボックス固定方法。
【請求項７】
前記回路ボックスを前記挿入口から前記第２収容凹部に挿入する動作に伴って、前記コネクタ部が前記橋架部に対し前記挿入口と反対側に位置したときに前記回路ボックスの表面から突設された突起部を前記橋架部に係合させ、該回路ボックスを前記タンクに仮保持する、
ことを特徴とする請求項６記載の洗浄装置の回路ボックス固定方法。
【発明の詳細な説明】
【０００１】
【発明の属する技術分野】
本発明は、洗浄液を貯留するタンクにポンプ装置及び該ポンプ装置に電気的に接続される回路ボックスが取り付けられて構成され、例えば車両用のウォッシャ装置やヘッドランプクリーナ装置等の噴射ノズルに洗浄液を供給するための洗浄装置に関する。
【０００２】
また、本発明は、上記洗浄装置においてタンクに回路ボックスを取り付けるための洗浄装置の回路ボックス固定方法に関する。
【０００３】
【従来の技術】
車両に搭載されるウォッシャ装置やヘッドランプクリーナ装置に適用される（これらの一部を構成する）洗浄装置では、洗浄液を貯留する樹脂製のタンクにポンプ装置が取り付けられており、ポンプ装置の作動によって洗浄液を圧送し、該洗浄液を噴射するためのウォッシャノズルやヘッドランプクリーナ装置の噴射ノズル等へ洗浄液を供給する。
【０００４】
また、洗浄装置において、例えば、制御回路や雑音防止器等のポンプ装置に電気的に接続される電気回路を収容した回路ボックスをタンクに取り付けた構成が知られている。
【０００５】
回路ボックスをタンクに取り付ける構造としては、一般に図１０に示される如き構造が用いられる。すなわち、タンク１００は、回路ボックス１０２を収容する収容凹部１０４を有しており、該収容凹部１０４には透孔１０６Ａを有する取付片１０６が設けられている。一方、回路ボックス１０２にも透孔１０２Ａが設けられており、該回路ボックス１０２は、収容凹部１０４に収容された状態で、透孔１０２Ａ及び透孔１０６Ａに挿通されるボルト１０８及び該ボルト１０８に螺合するナット１１０によってタンク１００に固定される構成である。
【０００６】
このタンク１００は、別途設けられた収容凹部にポンプ装置が収容把持されて取り付けられ、回路ボックス１０２内の電気回路はポンプ装置に電気的に接続されている。これにより、洗浄装置は、タンク１００、回路ボックス１０２、及びポンプ装置を一体のアセンブリとして取り扱うことができ、かつそれぞれタンク１００の収容凹部１０４等に収容された回路ボックス１０２、ポンプ装置はタンク１００の外縁から突出しないか突出量が小さいため、車両への搭載性が良好である。
【０００７】
【発明が解決しようとする課題】
しかしながら、上記のような従来の洗浄装置では、回路ボックス１０２をタンク１００に取り付けるために、ボルト１０８及びナット１１０による締結手段を用いていたため、該取付作業が煩雑で作業性が悪く高コストの原因となっている。また、透孔１０６Ａはタンク１００のアンダカット部となるため、樹脂成形によって形成されるタンク１００に該透孔１０６Ａを形成するためには、型スライド（スライドコア）を用いるか、成形後に機械加工を施す必要があり、これも高コストの原因となる。
【０００８】
そこで、ボルト１０８及びナット１１０等の締結手段を用いないで回路ボックス（雑音防止器）をタンクに取り付ける構造として、実開平６−３７０２６号公報に記載された構造が知られている。この構造について、図１１に基づいて説明する。
【０００９】
上記公報記載のタンク１２０は、弾性を有する合成樹脂より成り、上方及び側方に開口した収容凹部１２２を有している。該収容凹部１２２には、上記タンク１２０の弾性によって回路ボックス１２４が圧入して嵌合されるようになっている。そして、収容凹部１２２の側方開口部１２２Ａの開口幅Ｗ４は、回路ボックス１２４の幅Ｗ５よりも狭く設定されているため、該回路ボックス１２４が収容凹部１２２から脱落することなくタンク１２０に固定される構成である。すなわち、この構成では、単に収容凹部１２２に回路ボックス１２４を圧入する動作（作業）によって、該回路ボックス１２４がタンク１２０に固定され、タンク１２０への回路ボックス１２４の取付作業が簡単である。
【００１０】
しかしながら、図１１に示される構成では、寒冷地等においてタンク１２０内の洗浄液が凍結すると、該凍結による洗浄液の体積膨張によって収容凹部１２２が膨出し、収容凹部１２２内に収容保持された回路ボックス１２４が該収容凹部１２２から押し出されて脱落してしまうことが懸念される。
【００１１】
本発明は、上記事実を考慮して、タンクへの回路ボックスの取付が容易で、かつ該タンクからの回路ボックスの脱落が確実に防止される洗浄装置及び洗浄装置の回路ボックス固定方法を得ることが目的である。
【００１２】
【課題を解決するための手段】
上記目的を達成するために請求項１記載の発明に係る洗浄装置は、洗浄液を貯留するタンクと、前記タンクの表面を該タンク内側に窪ませて形成された第１収容凹部に収容把持されて取り付けられ、前記洗浄液を圧送可能なポンプ装置と、前記タンクに取り付けられ、少なくとも前記ポンプ装置に配線を介して電気的に接続される電気回路を収容した回路ボックスと、を備えた洗浄装置であって、前記タンクは、表面を内側に窪ませて形成され前記回路ボックスが挿入される挿入口及び前記回路ボックスの挿入方向と交差する方向に開口する収容開口を有する第２収容凹部と、前記収容開口を橋架する橋架部とを有し、前記回路ボックスは、前記第２収容凹部に収容された状態で前記橋架部に対し前記挿入口と反対側に位置する一部に設けられたコネクタ部を有し、該コネクタ部には前記配線の端部に設けられた外部コネクタが前記収容開口から接続される、ことを特徴としている。
【００１３】
請求項１記載の洗浄装置は、タンクにポンプ装置と回路ボックスとが取り付けられると共に、ポンプ装置と回路ボックスとが配線を介して電気的に接続され、一体のアセンブリとして取り扱うことができる。
【００１４】
このタンクに回路ボックスを取り付ける際には、該回路ボックスを挿入口から第２収容凹部に挿入して収容する。この状態で回路ボックスは、その一部が第２収容凹部の収容開口を橋架する橋架部に対し挿入口と反対側に位置し、該一部に設けられたコネクタ部を収容開口から露出させている。そして、このコネクタ部に、少なくともポンプ装置と接続される配線の端部に設けられた外部コネクタを収容開口から接続すると、該外部コネクタが橋架部に係合可能に配置される。
【００１５】
これにより、回路ボックスを挿入口から抜き出そうしても、外部コネクタが橋架部に係合するため、該回路ボックスの第２収容凹部からの挿入口を経由した抜き出しが阻止される。また、回路ボックスは、その一部が橋架部に対し挿入口と反対側に位置すると共に残余の部分が橋架部よりも挿入口側に位置することで、橋架部と係合可能に配置されているため、収容開口を経由した第２収容凹部からの脱落も阻止される。すなわち、回路ボックスは、ボルト・ナット等の締結手段を用いることなく、第２収容凹部からの抜き出し及び脱落が阻止された状態でタンクに取り付けられる（固定される）。
【００１６】
このため、仮に寒冷地等においてタンク内の洗浄液が凍結に伴って体積膨張し第２収容凹部が膨出しても、回路ボックスが第２収容凹部から脱落または抜け出しすることが防止される。すなわち、上記締結手段を用いることのない簡単な構造によって、タンクの変形による該タンクからの回路ボックスの外れを阻止でき、しかも外部コネクタの回路ボックスへの接続自体によって回路ボックスのタンクへの確実な固定支持を得ることができる。
【００１７】
このように、請求項１記載の洗浄装置では、タンクへの回路ボックスの取付が容易で、かつ該タンクからの回路ボックスの脱落が確実に防止される。
【００１８】
また、回路ボックスのコネクタ部から外部コネクタを外す（引き抜く）際に該回路ボックスを橋架部に係合させることで、該橋架部には、引き抜き力を受ける押さえとしての機能を果たさせることも可能である。
【００１９】
請求項２記載の発明に係る洗浄装置は、請求項１記載の洗浄装置において、前記回路ボックスは、表面から突設された突起部を有し、前記第２収容凹部に収容された状態で該突起部が前記橋架部に係合して前記タンクに仮保持される、ことを特徴としている。
【００２０】
請求項２記載の洗浄装置では、回路ボックスは、第２収容凹部に収容された状態で、すなわち、コネクタ部が橋架部に対し挿入口と反対側に位置した状態で、その表面から突設された突起部がタンクの橋架部に係合することで、該タンクに仮保持される。このため、コネクタ部に外部コネクタが接続されるまでの仮保持状態では、外部コネクタが接続される前であっても回路ボックスが挿入口から抜け出さないように押さえる必要がなく、タンクへの回路ボックスの取付や搬送などの取扱が一層容易となる。
【００２１】
請求項３記載の発明に係る洗浄装置は、請求項１または請求項２記載の洗浄装置において、前記第２収容凹部は、前記挿入方向における前記挿入口と反対側に位置する第１壁面と、前記交差する方向における前記収容開口と反対側に位置する第２壁面とを有する、ことを特徴としている。
【００２２】
請求項３記載の洗浄装置では、第１壁面が回路ボックスの挿入口から第２収容凹部への挿入の際に受け面として挿入力を受け止めると共に挿入制限を行い（それ以上の挿入を阻止し）、第２壁面が第２収容凹部に収容された回路ボックスに外部コネクタを接続する（差し込む）際に受け面として差し込み力をしっかりと受け止める。これにより、上記挿入制限を行うため若しくは差し込み力に抗するために回路ボックスを支える必要がなく、タンクへの回路ボックスの取付がより一層容易となる。
【００２３】
また、第１壁面及び第２壁面を設けることで、特に、回路ボックスが請求項２記載の突起部を有する構成では、該回路ボックスは、第１壁面と橋架部とによって第２収容凹部内での挿入方向のガタつきが規制されると共に、第２壁面によって移動規制されて突起部の橋架部との係合が不用意に解除されることがない。
【００２４】
請求項４記載の発明に係る洗浄装置は、請求項３記載の洗浄装置において、前記タンクは、前記第１収容凹部が設けられ主に前記洗浄液を貯留するロアタンクと、該洗浄液を注入する注入口が設けられたアッパタンクとを有し、前記ロアタンクとアッパタンクとがそれぞれの開口端から外方に延設された接合部において接合されて形成され、前記第１壁面または第２壁面は、前記溶着部を含んで形成されている、ことを特徴としている。
【００２５】
請求項４記載の洗浄装置では、アッパタンクとロアタンクとを接合するためにタンク外方へ延設された接合部を含んで第１壁面または第２壁面を構成しているため、アッパタンクまたはロアタンクに凹設される第２収容凹部の深さ（接合部の開口端からの延設方向における深さ）を浅くすることができる。すなわち、第２収容凹部を設けることによるタンク容量の減少を小さく抑えることができる。なお、タンクを樹脂材料にて構成する場合は、上記接合は溶着によることが望ましく、この場合、接合部は溶着部とされる。
【００２６】
請求項５記載の発明に係る洗浄装置は、請求項１乃至請求項３の何れか１項記載の洗浄装置において、前記タンクは、それぞれ樹脂成形より成るロアタンクとアッパタンクとが互いの開口端を溶着されて形成され、前記第２収容凹部は、前記回路ボックスの挿入方向を前記ロアタンクまたはアッパタンクの樹脂成形時の型抜き方向に一致させ、かつ前記収容開口を前記挿入方向に直交する方向に開口させると共に前記挿入口と連設し、前記橋架部は、前記収容開口の開口面よりも外方へ突出して該収容開口を跨いで橋架する、ことを特徴としている。
【００２７】
請求項５記載の洗浄装置では、ロアタンクまたはアッパタンクに凹設される第２収容凹部は、挿入口からの回路ボックス挿入方向（挿入口の開口面の向く方向とは限らない）がアッパタンクの型抜き方向に一致すると共に、該挿入口と連設された収容開口の開口方向（開口面の向く方向）が上記挿入方向に直交して構成され、かつ橋架部が収容開口の開口面よりも外方に突出して該収容開口を跨いでいるため、少なくとも第２収容凹部及び橋架部がロアタンクまたはアッパタンクを樹脂成形する際のアンダカット部となることがない。
【００２８】
このため、第２収容凹部及び橋架部を有するタンク（ロアタンクまたはアッパタンク）を、その樹脂成形に型スライドを用いる必要のない構成とすることができ、簡単かつ安価な構造で、上記タンクへの回路ボックスの取付が容易で該タンクからの回路ボックスの脱落を確実に防止する機能を得ることができる。特に、本構成は、請求項３記載の第１壁面（第２収容凹部の挿入口と反対側を閉じる壁面）を有する場合に好適に適用される。
【００２９】
なお、本構成において、請求項４記載の接合部（溶着部）をロアタンク及びアッパタンクにそれぞれ設けても良いことは言うまでもない。この場合、アンダカット部をなくすためには、収容開口の開口面を接合部の外端面に対し一致させるか突出させる必要があるが、タンク（洗浄装置全体として）の小型化を考慮して収容開口の開口面を接合部の外端面と一致させる方が望ましい。
【００３０】
また、上記目的を達成するために、請求項６記載の発明に係る洗浄装置の回路ボックス固定方法は、洗浄液を貯留するタンクと、前記タンクに凹設された第１収容凹部に収容把持されて取り付けられ、前記洗浄液を圧送可能なポンプ装置と、少なくとも前記ポンプ装置に配線を介して電気的に接続される電気回路を収容した回路ボックスと、前記タンクの表面を内側に窪ませて形成され、前記回路ボックスが挿入される挿入口及び前記回路ボックスの挿入方向と交差する方向に開口する収容開口を有する第２収容凹部と、を備えた洗浄装置の回路ボックス固定方法であって、前記回路ボックスを前記挿入口から前記第２収容凹部に挿入し、該回路ボックスのコネクタ部が設けられた一部を、前記タンクに設けられ前記収容開口を橋架する橋架部に対し前記挿入口と反対側に位置させ、次いで、前記橋架部に対し前記挿入口と反対側に位置する前記コネクタ部に、前記配線の端部に設けられた外部コネクタを前記収容開口から接続する、ことを特徴としている。
【００３１】
請求項６記載の洗浄装置の回路ボックス固定方法では、先ず、回路ボックスをタンクの挿入口から第２収容凹部へ挿入する。すると、回路ボックスのコネクタ部が設けられた一部が、第２収容凹部の収容開口を橋架する橋架部に対し挿入口と反対側に位置する。次いで、上記橋架部に対し挿入口と反対側に位置したコネクタ部に回路ボックスの第２収容凹部への挿入方向と交差する方向から外部コネクタを接続する。これにより、外部コネクタが橋架部に係合可能に配置される。
【００３２】
これにより、回路ボックスを挿入口から抜き出そうしても、外部コネクタが橋架部に係合するため、該回路ボックスの挿入口を経由した第２収容凹部からの抜き出しが阻止される。また、回路ボックスは、その一部が橋架部に対し挿入口と反対側に位置すると共に残余の部分が橋架部よりも挿入口側に位置することで、橋架部と係合可能に配置されているため、収容開口を経由した第２収容凹部からの脱落も阻止される。すなわち、回路ボックスは、ボルト・ナット等の締結手段を用いることなく、第２収容凹部からの抜き出し及び脱落が阻止された状態でタンクに取り付けられる（固定される）。
【００３３】
このため、仮に寒冷地等においてタンク内の洗浄液が凍結に伴って体積膨張し第２収容凹部が膨出しても、回路ボックスが第２収容凹部から脱落または抜け出しすることが防止される。すなわち、上記締結手段を用いることのない簡単な構造によって、タンクの変形による該タンクからの回路ボックスの外れを阻止でき、しかも外部コネクタの回路ボックスへの接続自体によって回路ボックスのタンクへの確実な固定支持を得ることができる。
【００３４】
このように、請求項６記載の洗浄装置の回路ボックス固定方法では、タンクへの回路ボックスの取付が容易で、かつ該タンクからの回路ボックスの脱落が確実に防止される。
【００３５】
請求項７記載の発明に係る洗浄装置の回路ボックス固定方法は、請求項６記載の洗浄装置の回路ボックス固定方法において、前記回路ボックスを前記挿入口から前記第２収容凹部に挿入する動作に伴って、前記コネクタ部が前記橋架部に対し前記挿入口と反対側に位置したときに前記回路ボックスの表面から突設された突起部を前記橋架部に係合させ、該回路ボックスを前記タンクに仮保持する、ことを特徴としている。
【００３６】
請求項７記載の洗浄装置の回路ボックス固定方法では、回路ボックスを挿入口から第２収容凹部に挿入していくと、コネクタ部（が設けられた回路ボックスの一部）が橋架部に対し挿入口と反対側に位置したときに、回路ボックスの表面から突設された突起部が橋架部に係合する。これにより、回路ボックスは、第２収容凹部内においてタンクに対し仮保持される。すなわち、単に回路ボックスを挿入口から第２収容凹部に挿入（収容）する動作によって、工程を増やすことなく、回路ボックスをタンクに仮保持することができる。
【００３７】
このため、コネクタ部に外部コネクタが接続されるまでの仮保持状態では、外部コネクタが接続される前であっても回路ボックスが挿入口から抜け出さないように押さえる必要がなく、タンクへの回路ボックスの取付や搬送などの取扱が一層容易となる。
【００３８】
【発明の実施の形態】
本発明の実施の形態に係る洗浄装置１０について、図１乃至図７に基づいて説明する。
【００３９】
図１には、ヘッドランプクリーナ装置に適用される洗浄装置１０の分解斜視図が示されている。この図に示される如く、洗浄装置１０は、洗浄液を圧送するためのポンプ装置１２を備えている。ポンプ装置１２は、上記の通りヘッドランプクリーナ装置用のポンプ装置であり、ウォッシャ装置用のポンプ装置と比較して大型で重量が重いものである。
【００４０】
このポンプ装置１２は、モータ部１４と、該モータ部１４に同軸的に配置されたポンプ部１６とを備えており、後述するタンク２４への取付状態でポンプ部１６がモータ部１４の下方（鉛直方向下側）に位置するように配置されるようになっている。以下、上下の方向を用いて説明するときは、この取付状態における上下方向を言うものとする。
【００４１】
図２にも示される如く、モータ部１４は、その外形が略円柱状に形成されたヨークハウジング１４Ａの内部にアーマチャ１４Ｂが回転自在に支持された状態で収容されており、アーマチャ１４Ｂのアーマチャシャフト１４Ｃがポンプ部１６の内部に突出している。
【００４２】
また、モータ部１４には、外気温とヨークハウジング１４Ａ内の内部温度との差による圧力差を生じさせないための呼吸孔１８が設けられている。呼吸孔１８は、ヨークハウジング１４Ａの下部に下方に向けて開口した開口１８Ａと、開口１８Ａを介してヨークハウジング１４Ａの内部と連通するジョイント部１８Ｂとで構成されている。ジョイント部１８Ｂは、上記取付状態で水平方向に開口しており、後述する可撓性チューブ５２が接続されるようになっている。
【００４３】
さらに、モータ部１４の上端部にはコネクタ部２０が設けられており、コネクタ部２０の内部にはモータ部１４への給電用端子２０Ａが収納されている。給電用端子２０Ａは、後述するリレーボックス６２に電気的に接続されるようになっている。
【００４４】
一方、ポンプ部１６は、図３にも示される如く、洗浄液を吸い込むサクション部であるインレット１６Ａと、洗浄液を吐出するディスチャージ部としてのアウトレット１６Ｂと、上記アーマチャシャフト１４Ｃに接続されこれと一体に回転するインペラ１６Ｃとを備えている。インレット１６Ａはタンク２４の内部に連通され、アウトレット１６Ｂは配管ホース２２を介してヘッドランプクリーナの噴射ノズル（図示省略）に接続される構成である。
【００４５】
これにより、ポンプ装置１２は、モータ部１４が作動してインペラ１６Ｃが回転すると、タンク２４内の洗浄液をインレット１６Ａから吸い込みつつアウトレット１６Ｂから吐出し、該洗浄液を噴射ノズルに圧送（供給）する構成である。
【００４６】
なお、本実施の形態では、インレット１６Ａとアウトレット１６Ｂとが互いに直交する方向に沿って配設されており、インレット１６Ａがコネクタ部２０と反対側に配置されると共に、アウトレット１６Ｂが呼吸孔１８（ジョイント部１８Ｂ）と反対側に配置されている。
【００４７】
また、洗浄装置１０は、上記洗浄液を貯留するための合成樹脂製のタンク２４を備えている。タンク２４は、それぞれインジェクション成形より成るアッパタンク２６とロアタンク２８とが溶着等によって接合されて構成されている。具体的には、アッパタンク２６及びロアタンク２８の各開口端には、それぞれ接合部としての溶着部２６Ａ、２８Ａが全周に亘り外方に延設されており、該溶着部２６Ａ、２８Ａが互いに突き合わされた状態で溶着されている。
【００４８】
アッパタンク２６は、その高さがロアタンク２８の高さよりも低く、タンク２４の上端近傍のみを構成している。すなわち、タンク２４は、主にロアタンク２８が洗浄液を貯留する構成である。このアッパタンク２６の天板部２６Ｂには、タンク２４の内部に洗浄液を注入（供給）するための注入口３０が設けられている。注入口３０は、図示しないキャップが被嵌されることで、洗浄液の溢出が防止されるようになっている。また、ロアタンク２８は、その下部２８Ｂが上部２８Ｃ（アッパタンク２６に対応した部分）よりも凹んで構成されている。
【００４９】
このタンク２４は、ロアタンク２８の下部２８Ｂにポンプ装置１２が取り付けられるようになっている。具体的には、ロアタンク２８の下部２８Ｂには、そのタンク壁（側壁）２８Ｄを内側に窪ませて形成され（凹設され）た第１収容凹部としてのポンプ収容凹部３２が位置しており、該ポンプ収容凹部３２はポンプ装置１２を収容するようになっている。
【００５０】
このポンプ収容凹部３２の高さ方向中間部には、その内方（タンク２４の外方）に突出しポンプ装置１２のモータ部１４が嵌合する嵌合部３４が設けられている。図４（Ａ）にも示される如く、嵌合部３４を規定するタンク壁２８Ｄは、モータ部１４（ヨークハウジング１４Ａ）の外形に略対応し半円よりも若干大きい円弧状に形成されている。これにより、嵌合部３４（ポンプ収容凹部３２）の開口３４Ａの縁部には、モータ部１４を嵌合把持する際のラップ代Ｃ（＞０）となる把持部３４Ｂが形成されている。
【００５１】
また、ポンプ収容凹部３２の最下部近傍のタンク壁２８Ｄには、ポンプ装置１２のインレット１６Ａをタンク２４内に挿入するためのタンク透孔３６（図３参照）が設けられている。
【００５２】
さらに、ロアタンク２８の最下部には、ポンプ収容凹部３２の下部と連設されアウトレット１６Ｂ及び該アウトレット１６Ｂに接続される配管ホース２２の敷設部（干渉防止部）となる配管凹部３８が位置している。また、ポンプ収容凹部３２の下部の配管凹部３８と反対側（図２に右側）は、呼吸孔１８に接続される可撓性チューブ５２をロアタンク２８外面よりも外側に導出するためのチューブ凹部４０が連設されている。なお、配管凹部３８やチューブ凹部４０は、ポンプ装置１２のアウトレット１６Ｂや呼吸孔１８の形状や配置等に応じて、設置の要否または形状が決められる。
【００５３】
以上により、ポンプ装置１２は、インレット１６Ａがグロメット４２を介してタンク透孔３６に嵌合すると共に、モータ部１４が嵌合部３４に嵌合し把持部３４Ｂによって把持された状態で、コネクタ部２０設置側の一部を除く部分がポンプ収容凹部３２内に収容される。
【００５４】
このように、ポンプ装置１２は、タンク２４の下部に取り付けられるが、該ポンプ装置１２の呼吸孔１８は、タンク２４の上部に設けられた被水防止部４４に接続されて外部と連通するようになっている。
【００５５】
具体的には、図１及び図２に示される如く、被水防止部４４は、アッパタンク２６及びロアタンク２８の互いの溶着部２６Ａ、２８Ａのさらに外方に設けられ、タンク２４の内部（洗浄液を貯留する部分）とは隔離されている。この被水防止部４４は、溶着部２８Ａに設けられたボックス部４６を備えている。
【００５６】
ボックス部４６には、その底部４６Ａを貫く円筒部４８が設けられている。円筒部４８は、その上端がボックス部４６の上部開口から上方に突出すると共に、底部４６Ａよりも下方に突出した部分がジョイント部４８Ａとされている。また、底部４６Ａにおける円筒部４８の径方向外側部分には、下方に開口する連通孔４６Ｂが設けられている。
【００５７】
さらに、ボックス部４６及び円筒部４８のそれぞれの上部開口は、溶着部２６Ａから延設されたカバー部５０によって被覆されている。カバー部５０は、円筒部４８の上端とは離間しており、該円筒部４８及びボックス部４６との間に空間Ｒを形成している。そして、被水防止部４４は、ジョイント部４８Ａが可撓性チューブ５２を介してポンプ装置１２のジョイント部１８Ｂと接続されることで、呼吸孔１８と連通される構成である。すなわち、可撓性チューブ５２、円筒部４８、空間Ｒ、ボックス部４６、連通孔４６Ｂを通じて呼吸孔１８が外部と連通されている。
【００５８】
これにより、仮にポンプ装置１２が被水したとしてもその水によって呼吸孔１８を塞いでしまうことがなく、モータ部１４の呼吸作用によってモータ部１４（ヨークハウジング１４Ａ）の内部に水が取り込まれてしまうことが防止される。また、被水防止部４４がタンク２４に設けられているため、洗浄装置１０の車両への搭載前に可撓性チューブ５２を敷設することができ、作業性も向上する。
【００５９】
一方、ロアタンク２８の上部２８Ｃにおけるポンプ収容凹部３２上方（すなわち、ポンプ装置１２の近傍）には、そのタンク壁２８Ｄを内側に窪ませて形成され（凹設され）た第２収容凹部としての回路収容凹部５４が位置している。回路収容凹部５４は、後述するリレーボックス６２の外形に略対応した矩形（直方体）状に形成されており、その内部に該リレーボックス６２を収容するようになっている。
【００６０】
図５にも示される如く、回路収容凹部５４は、その上縁が溶着部２８Ａによって規定されると共に、その下縁がロアタンク２８の上部２８Ｃ下端部において下方に開口した挿入口５４Ａとされている。すなわち、回路収容凹部５４は、その挿入口５４Ａから上下方向に沿ってリレーボックス６２が挿入される構成であり、該挿入口５４Ａの開口方向がリレーボックス６２の挿入方向（上下方向）に一致している。また、この挿入方向は、溶着部２８Ａを有する上端が開口端とされたロアタンク２８の型抜き方向とも一致している。
【００６１】
そして、この回路収容凹部５４の挿入口５４Ａと連設されると共に該連設部分から溶着部２８Ａまで側方に開口する部分が収容開口５４Ｂとされている。すなわち、収容開口５４Ｂは、挿入口５４Ａの開口方向（リレーボックス６２の挿入方向）に対し交差する（本実施の形態では略直交する）方向に開口している。
【００６２】
また、図３にも示される如く、ロアタンク２８では、回路収容凹部５４を規定するタンク壁２８Ｄのうち、挿入口５４Ａと対向する（挿入口５４Ａと上下方向の反対側に位置する）と共に溶着部２８Ａから連続する（溶着部２８Ａを含む）上端部分が第１壁面としての上壁５５とされると共に、収容開口５４Ｂと対向する（収容開口５４Ｂと反対側に位置する）タンク２４内方部分が第２壁面としての奥壁５６とされている。
【００６３】
さらに、ロアタンク２８には、溶着部２８Ａから連続して下方へ延びる一対のリブ５８が外方へ突設されており、これらのリブ５８が収容開口５４Ｂの両側縁部（上下方向に長手とされた縁部）を規定している。各リブ５８の互いの対向間隔、すなわち収容開口５４Ｂの開口幅Ｗ１は、後述するリレーボックス６２の幅Ｗ２よりも小さく設定されている（図５参照）。
【００６４】
すなわち、内部にリレーボックス６２を収容する回路収容凹部５４は、一対のリブ５８によって、その内部の幅（＞Ｗ２）よりも収容開口５４Ｂにおける開口幅Ｗ１が狭められている。ただし、開口幅Ｗ１はコネクタ部７０が収容開口５４Ｂから露出される幅として設定されている。これにより、図４（Ｂ）にも示される如く、各リブ５８は、通常、回路収容凹部５４に収容されたリレーボックス６２と係合し、該リレーボックス６２の収容開口５４Ｂからの脱落を阻止する係合部としても機能する構成である。また、各リブ５８と奥壁５６との対向間隔は、リレーボックス６２の厚みｔよりも若干大とされている。
【００６５】
さらにまた、ロアタンク２８には、一対のリブ５８を長手方向中央部において橋架する橋架部６０が設けられている。橋架部６０は、その両端部がそれぞれ各リブ５８の外端面から突出することで全体として各リブ５８よりもさらに外方に位置しており、収容開口５４Ｂに跨って（収容開口５４Ｂを跨いで）その一部を橋架している。
【００６６】
そして、各リブ５８は、その橋架部６０設置部位を含む上側部分が溶着部２８Ａと面一とされると共に、橋架部６０よりも下側部分が下方へ向けて連続的にロアタンク２８の上部２８Ｃにおける表面Ｓからの突出高が低くなるようにテーパ状に傾斜または湾曲されている。各リブ５８の最下端は、表面Ｓと略面一とされている。これにより、橋架部６０は、溶着部２８Ａよりも外方に位置しており、ロアタンク２８の型抜き方向である上下方向に対向する部分がなく、該ロアタンク２８成形時のアンダカット部を形成することがない。
【００６７】
また、洗浄装置１０は、回路ボックスとして本実施の形態ではリレーボックス６２を備えており、該リレーボックス６２は回路収容凹部５４に収容されてタンク２４に固定されるようになっている。
【００６８】
リレーボックス６２は、内部に図示しないリレーを含む電気回路を収納したボックス部６４にベース板部６６を接続して構成され、全体として略矩形状に形成されている。リレーボックス６２の上記厚みｔはボックス部６４とベース板部６６との厚みの和であり、上記幅Ｗ２はボックス部６４の幅とされている。このボックス部６４の主面６４Ａ側には、その上下方向略中央部から突設された突起部６８と、該突起部６８の上方において凹設されたコネクタ部７０とが位置している。コネクタ部７０内には、複数の端子７０Ａ（信号端子、電源端子、給電用端子等）が収納されている。
【００６９】
このリレーボックス６２は、挿入口５４Ａから挿入されて回路収容凹部５４内に収容されるようになっている。そして、リレーボックス６２は、回路収容凹部５４に収容された状態では、その突起部６８がロアタンク２８の橋架部６０に係合して挿入口５４Ａからの抜き出しが阻止されるようになっている。この状態でリレーボックス６２は、そのコネクタ部７０が収容開口５４Ｂの橋架部６０よりも上側部分から露出する構成である。
【００７０】
この状態で、リレーボックス６２のコネクタ部７０には、外部コネクタとしてのコネクタ７２がリレーボックス６２の回路収容凹部５４への挿入方向に対して交差する方向から接続されるようになっている。コネクタ７２は、一端部にポンプ装置１２のコネクタ部２０に接続されるコネクタ７４を有する給電配線７６Ａ、７６Ｂの他端部に設けられている。そして、コネクタ７２は、コネクタ部７０に接続されると、橋架部６０の上方で該橋架部６０よりもタンク２４外方に突出して位置するようになっている。
【００７１】
これにより、コネクタ７２は、橋架部６０に対し係合可能に位置しており、橋架部６０と突起部６８との係合による仮の保持ではなく、橋架部６０と係合することでリレーボックス６２の挿入口５４Ａを経由した回路収容凹部５４からの抜き出しを阻止する確実な固定支持を構成する。なお、コネクタ７２は、一端部に後述する制御回路８４に接続されるコネクタ７８を有する信号配線８０Ａ、８０Ｂの他端部にも接続されている。
【００７２】
一方、リレーボックス６２の収容開口５４Ｂを経由した脱落は、上記の通り収容開口５４Ｂの開口幅Ｗ１がリレーボックス６２（ボックス部６４）の幅Ｗ２よりも小さいことで通常阻止されているが、仮にタンク２４の変形等によって開口幅Ｗ１が幅Ｗ２よりも拡大された場合であっても、リレーボックス６２が橋架部６０に係合することで阻止される構成である。
【００７３】
以上により、リレーボックス６２は、ポンプ装置の近傍（直上）においてタンク２４に固定される構成である。このリレーボックス６２は、電気的には図７に示される如く接続されるようになっている。
【００７４】
すなわち、給電配線７６Ａ、７６Ｂは、コネクタ７４がコネクタ部２０に接続されることで、給電用端子２０Ａを介してモータ部１４に給電可能に接続される。一方、信号配線８０Ａ、８０Ｂは、コネクタ７８が接続する車両側のコネクタ８２、信号配線８０Ｃ、８０Ｄを介して制御回路８４に接続される。また、制御回路８４は、ヘッドランプクリーナ装置起動用の操作スイッチ８６を介して電源８８に接続されている。
【００７５】
操作スイッチ８６は、例えば、車両の運転席近傍に配置され運転者によって適宜操作されるようになっており、制御回路８４は、操作スイッチ８６が閉じると、所定時間だけリレーボックス６２（内のリレー）に作動信号を出力するようになっている。そして、リレーは、例えば、コネクタ７２に接続されている図示しない電源配線を介して電源８８と接続されており、上記作動信号が入力されると、該入力している時間だけ電源８８と給電配線７６Ａ、７６Ｂとの間の接点を閉じてモータ部１４に給電を行うようになっている。
【００７６】
以上説明したように、洗浄装置１０は、ポンプ装置１２及びリレーボックス６２がタンク２４に取り付けられ、ポンプ装置１２の呼吸孔１８がタンク２４の被水防止部４４に接続され、かつポンプ装置１２とリレーボックス６２とが両端にコネクタ７２、７４を有する給電配線７６Ａ、７６Ｂを介して接続されて構成されており、一体のアセンブリとして取り扱うことができる構成である。
【００７７】
そして、洗浄装置１０は、ポンプ装置１２及びリレーボックス６２をそれぞれポンプ収容凹部３２、回路収容凹部５４に収容すると共に、ポンプ装置１２の一部が突出して取り付けられるポンプ収容凹部３２を上部２８Ｃよりも凹んだ下部２８Ｂに設けることにより、該ポンプ装置１２及びリレーボックス６２のタンク２４外縁（特に平面視における外縁）よりも突出する部分が極めて小さくされている。これにより、上記アセンブリとしての車両への搭載（通常、タンク２４の下部側を先頭にした搭載）が容易な構成である。なお、図１及び図２では説明の便宜上ロアタンク２８の下部２８Ｂが全体的に凹んだ構成としているが、例えば、必要なタンク容量に応じて、ロアタンク２８の下部２８Ｂにおけるポンプ装置１２の取付部分を除く部分は、その上部２８Ｃにおける表面Ｓと面一となるように形成されても良いことは言うまでもない。
【００７８】
次に、本実施の形態の作用を説明する。
【００７９】
上記構成の洗浄装置１０では、その組立の際には、アッパタンク２６とロアタンク２８とが互いの溶着部２６Ａ、２８Ａを突き合わせた状態で溶着されて成るタンク２４に、ポンプ装置１２及びリレーボックス６２を取り付ける。ポンプ装置１２及びリレーボックス６２のタンク２４への取付順は何れが先でも良いが、本実施の形態では、リレーボックス６２を先に取り付けることとして説明する。
【００８０】
タンク２４にリレーボックス６２を取り付けるに当たっては、先ず、図６（Ａ）に示される如く、リレーボックス６２をその主面６４Ａが収容開口５４Ｂから露出される方向に向けつつ、該リレーボックス６２を挿入口５４Ａから回路収容凹部５４内に挿入する。この挿入に伴って、突起部６８が橋架部６０下端に係合するが、樹脂製のタンク２４が適宜弾性変形することで、突起部６８は橋架部６０を乗り越える（通過する）。
【００８１】
そして、リレーボックス６２の上端面（挿入方向先頭側の面）が上壁５５に突き当たると、該上壁５５によってリレーボックス６２の挿入力を受け止めつつ挿入制限（それ以上の挿入阻止）が為されて、図６（Ｂ）に示される如く、リレーボックス６２は回路収容凹部５４内に収容される（この状態ではリレーボックス６２が上壁５５から離間しても良い）。そして、この状態でリレーボックス６２の突起部６８はタンク２４の橋架部６０に係合する。これにより、リレーボックス６２は、タンク２４に対し仮保持される。
【００８２】
すなわち、リレーボックス６２は、突起部６８が橋架部６０に係合することで挿入口５４Ａからの抜き出しが防止されると共に、ボックス部６４の両端部が一対のリブ５８の内面に係合可能に位置することで収容開口５４Ｂからの脱落が防止されており、通常は回路収容凹部５４から取り外されることはない（この状態で、タンク２４にポンプ装置１２を取り付けても良い）。また、この状態でリレーボックス６２のコネクタ部７０は、橋架部６０よりも上側（橋架部６０に対し挿入口５４Ａと反対側）に位置し、収容開口５４Ｂから露出している。
【００８３】
次いで、図６（Ｃ）に示される如く、収容開口５４Ｂの橋架部６０よりも上側部分から露出しているコネクタ部７０にコネクタ７２を近接させ、該コネクタ７２をコネクタ部７０に差し込んで接続する。このとき、リレーボックス６２は奥壁５６の押し付けられ、該奥壁５６（すなわちタンク２４）は上記差し込みに伴う差し込み力をしっかりと受け止める。これにより、図６（Ｄ）に示される如く、コネクタ７２はコネクタ部７０に確実に接続される。
【００８４】
コネクタ部７０に接続されたコネクタ７２は、橋架部６０の上方において収容開口５４Ｂから突出して位置する。すなわち、コネクタ７２は、リレーボックス６２のコネクタ部７０に接続された状態で、タンク２４の橋架部６０に係合可能に位置する。以上により、リレーボックス６２は、ボルト・ナット等の締結手段を用いることなくタンク２４に固定される。
【００８５】
一方、ポンプ装置１２をタンク２４に取り付けるに当たっては、ポンプ装置１２のモータ部１４を各把持部３４Ｂに当接させつつポンプ収容凹部３２（嵌合部３４）の奥方へ押し付ける。すると、タンク２４が適宜弾性変形して嵌合部３４の開口３４Ａの開口幅が広がる。
【００８６】
モータ部１４をさらに上記方向に押し込むと、該モータ部１４が嵌合部３４に嵌合すると共に、インレット１６Ａがタンク透孔３６に取り付けられているグロメット４２に嵌合する。すなわち、ポンプ装置１２は、モータ部１４が一対の把持部３４Ｂによって（ラップ代Ｃで）把持され、ポンプ部１６がインレット１６Ａにおいてタンク透孔３６（グロメット４２）に保持される。以上により、ポンプ装置１２は、タンク２４に固定される。
【００８７】
この状態で、ポンプ装置１２のコネクタ部２０にコネクタ７４を接続する。これにより、リレーボックス６２とポンプ装置１２とが電気的に接続される。またこの状態で、可撓性チューブ５２の一端部を呼吸孔１８のジョイント部１８Ｂに接続すると共に、可撓性チューブ５２の他端部を被水防止部４４のジョイント部４８Ａに接続する。
【００８８】
これらにより、洗浄装置１０の組立が完了し、該洗浄装置１０は、タンク２４にポンプ装置１２及びリレーボックス６２（コネクタ７２、７４を有する給電配線７６Ａ、７６Ｂ及び可撓性チューブ５２を含む）が一体化されたタンクアセンブリとして取り扱うことが可能となる。また、リレーボックス６２がポンプ装置１２の近傍（直上）に配置されるため、給電配線７６Ａ、７６Ｂの短縮が図られるのみならず、例えばリレーボックス６２内に雑音防止器を配設した場合には雑音防止性能が向上する。
【００８９】
そして、洗浄装置１０は、この状態で（タンクアセンブリとして）出荷または車両への搭載が行われる。また、車両への搭載後は、コネクタ７８を車両側のコネクタ８２に接続すると共に、アウトレット１６Ｂに配管ホース２２（を介して噴射ノズル）を接続する。
【００９０】
ここで、タンク２４に取り付けられたリレーボックス６２は、そのコネクタ部７０に接続されたコネクタ７２がタンク２４の橋架部６０の挿入口５４Ａと反対側に係合可能に位置しているため、挿入口５４Ａから抜き出そうしてもコネクタ７２が橋架部６０に係合し、挿入口５４Ａを経由した第２収容凹部からの抜き出しが阻止される。また、リレーボックス６２は、その外形に略対応した回路収容凹部５４内に収容されることで、そのコネクタ部７０側の一部が橋架部６０に対し挿入口５４Ａと反対側に位置すると共に残余の部分が橋架部６０よりも挿入口５４Ａ側に位置し、該橋架部６０と係合可能に配置されているため、収容開口５４Ｂを経由した回路収容凹部５４からの脱落も阻止される。
【００９１】
このため、仮に寒冷地等においてタンク２４内の洗浄液が凍結に伴って体積膨張し回路収容凹部５４が膨出しても、リレーボックス６２が回路収容凹部５４から脱落または抜け出しすることが防止される。すなわち、タンク２４の変形に伴って、突起部６８の橋架部６０との係合状態が解除されたり、収容開口５４Ｂの開口幅Ｗ１がリレーボックス６２の幅Ｗ２よりも広げられたり（一対のリブ５８が互いに離間したり）しても、リレーボックス６２は、コネクタ７２と橋架部６０との係合または該リレーボックス６２自体の橋架部６０との係合によって、回路収容凹部５４からの抜き出し及び脱落が確実に阻止される。
【００９２】
そして、このようなタンク２４からのリレーボックス６２の外れが阻止される確実な固定支持（リレーボックス６２をタンク２４へ確実に取り付ける機能）が、上記の通りボルト・ナット等の締結手段を用いることのない簡単な構造によって得られる。また、該機能の一部である挿入口５４Ａからのリレーボックス６２の抜き出しを阻止する機能が、単にリレーボックス６２のコネクタ部７０に外部コネクタであるコネクタ７２を接続するというリレーボックス６２とポンプ装置１２との電気的な接続に必須の作業（工程）によって、洗浄装置１０の組立工数を増やすことなく得られる。
【００９３】
このように、本実施の形態に係る洗浄装置１０及び洗浄装置１０に適用される回路ボックス固定方法（すなわち、洗浄装置１０の製造方法）では、タンク２４へのリレーボックス６２の取付が容易で、かつ該タンク２４からのリレーボックス６２の脱落が確実に防止される。
【００９４】
また、回路収容凹部５４に収容されたリレーボックス６２が突起部６８を橋架部６０に係合させてタンク２４に仮保持されるため、コネクタ部７０にコネクタ７２が接続されるまでの間の仮保持状態では、コネクタ７２が接続される前であっても該リレーボックス６２を挿入口５４Ａから抜け出さないように押さえる必要がなく、タンク２４へのリレーボックス６２の取付が一層容易である。
【００９５】
さらに、回路収容凹部５４では、その上壁５５が受け面としてリレーボックス６２の挿入力を受けると共に挿入制限を行い、その奥壁５６がリレーボックス６２のコネクタ部７０へのコネクタ７２の差し込み力をしっかりと受け止めるため、換言すれば、リレーボックス６２が上壁５５及び奥壁５６によって回路収容凹部５４内で位置決めされているため、上記挿入制限を行うためや差し込み力に抗するためにリレーボックス６２を押さえる必要がなく、タンク２４へのリレーボックス６２の取付がより一層容易となる。
【００９６】
また、リレーボックス６２は、その上端面と突起部６８との間の部分がタンク２４の上壁５５と橋架部６０との間に位置することで上下（挿入）方向のガタつきが抑えられると共に、その対向間隔が該リレーボックス６２の厚みｔよりも若干大であるリブ５８と奥壁５６との間に位置しているため、その突起部６８の橋架部６０との係合が不用意に解除されることがない。
【００９７】
さらにまた、インジェクション成形により成り上下方向に型抜きされるロアタンク２８では、回路収容凹部５４の挿入口５４Ａの開口方向（すなわち、リレーボックス６２の挿入方向）が上記型抜き方向と一致されると共に該挿入口５４Ａと収容開口５４Ｂとが連設されることで、該回路収容凹部５４には成形時にアンダカット部が形成されない。また、溶着部２８Ａと面一のリブ５８外端面から突設された橋架部６０は、ロアタンク２８の型抜き方向である上下方向に対向する部分がないため、該ロアタンク２８成形時のアンダカット部を形成することがない。このため、ロアタンク２８の成形には型スライド（スライドコア）を用いる必要がなく、簡単かつ安価な構造で、上記したタンク２４へのリレーボックス６２の取付が容易で該タンク２４からのリレーボックス６２の脱落を確実に防止する機能を得ることができる。
【００９８】
次に、変形例に係る回路収容凹部９０について、図８及び図９に基づいて説明する。なお、上記実施の形態と基本的に同一の部品や部分については、上記実施の形態と同一の符号を付してその説明を省略する。
【００９９】
図８に示される如く、回路収容凹部９０は、リレーボックス６２の外形に略対応した略矩形（直方体）状に形成されると共にロアタンク２８の上部２８Ｃに設けられ、下方に開口した挿入口９０Ａ及び該挿入口９０Ａからのリレーボックス６２の挿入方向（上下方向）に直交する方向に開口した収容開口９０Ｂを有する点で、回路収容凹部５４と共通している。一方、回路収容凹部９０は、一対のリブ９２によって規定される収容開口９０Ｂの開口幅Ｗ３がリレーボックス６２の幅Ｗ２よりも若干大とされている点で、回路収容凹部５４とは異なる。以下、詳細に説明する。
【０１００】
図９（Ａ）及び図９（Ｂ）にも示される如く、一対のリブ９２は、リブ５８と同様の形状に形成され溶着部２８Ａから連続して下方へ延びているが、互いの対向面が回路収容凹部９０を構成し互いに対向する一対の側壁９４とそれぞれ面一とされている。そして、各側壁９４の最奥部には、それぞれ上下方向に長手とされたレール溝９６が回路収容凹部９０の全高に亘り設けられている。すなわち、各レール溝９６は、挿入口９０Ａにおいて下方に開口している。また、各レール溝９６の溝幅は、リレーボックス６２を構成するベース板部６６の板厚に対応している。
【０１０１】
この回路収容凹部９０では、タンク壁２８Ｄのうち、挿入口９０Ａと反対側に位置すると共に溶着部２８Ａを含む上端部分が第１壁面としての上壁９７とされると共に、収容開口９０Ｂと反対側に位置するタンク２４内方部分が第２壁面としての奥壁９８とされている。また、この回路収容凹部９０の収容開口９０Ｂから奥壁９８までの深さ（すなわち、リブ９２と面一に連続する溶着部２８Ａを含む上壁９７の奥行寸法）は、リレーボックス６２の厚みｔと同等か若干小とされている。
【０１０２】
そして、この回路収容凹部９０の収容開口９０Ｂは、回路収容凹部５４の収容開口５４Ｂと全く同様の構造によって、橋架部６０が跨いで橋架している。この構成によっても、上記実施の形態と同様に、ロアタンク２８に成形時のアンダカット部が形成されない。
【０１０３】
また、橋架部６０は、回路収容凹部９０の上記深さがリレーボックス６２の厚みｔと同等か若干小とされていることで、奥壁９８との距離が奥壁５６との距離よりも小さくなっている。これに対応して、リレーボックス６２を構成するボックス部６４の主面６４Ａから突設された突起部６８は、上記実施の形態における突起部６８よりも突出高が小とされている。
【０１０４】
このリレーボックス６２は、突起部６８を除く形状寸法等については上記実施の形態と全く同一であるが、本変形例においては、ベース板部６６におけるボックス部６４の両側端面よりもそれぞれ側方に突出した部分をレール部６６Ａとして説明する。
【０１０５】
本変形例に係る回路収容凹部９０を有するタンク２４へのリレーボックス６２の取り付けは、各レール部６６Ａをそれぞれ異なるレール溝９６に入り込ませて、リレーボックス６２を挿入口９０Ａから回路収容凹部９０に挿入する点を除いて、上記実施の形態と全く同様に為される。そして、突起部６８が橋架部６０に係合した仮保持状態でリレーボックス６２は、該突起部６８と橋架部６０との係によって挿入口９０Ａからの抜き出しが防止されると共に、レール部６６Ａとレール溝９６との係合によって収容開口９０Ｂからの脱落が防止されており、通常は回路収容凹部９０から取り外されることはない。
【０１０６】
また、この仮保持状態からコネクタ部７０にコネクタ７２が差し込まれることによって、上記実施の形態と同様に、タンク２４の変形（洗浄液の凍結時に伴う回路収容凹部５４の膨出等）によって突起部６８と橋架部６０との係合が解除されても挿入口９０Ａを経由した回路収容凹部９０からのリレーボックス６２の抜き出しが阻止される。さらに、回路収容凹部９０の収容開口９０Ｂを橋架部６０が橋架していることによって、タンク２４の変形によってレール部６６Ａがレール溝９６から外れても収容開口９０Ｂを経由した回路収容凹部９０からのリレーボックス６２の脱落が阻止される。
【０１０７】
このように、本変形例に係る回路収容凹部９０を有する構成によっても、上記実施の形態と全く同様の効果が得られる。また、本変形例に係る回路収容凹部９０は、上壁９７が溶着部２８Ａを奥行方向の全長に亘り含んで構成されているため、または、少なくとも上部が溶着部２８Ａから面一に連続し表面Ｓよりも突出した一対のリブ９２がそれぞれ回路収容凹部９０の側壁９４を構成しているため、該回路収容凹部９０における表面Ｓから奥壁９８までの深さを浅くすることができる。すなわち、タンク２４の形成（接合）に必要な溶着部２８Ａ、またはアンダカット部を形成することなく橋架部６０を設けるためのリブ９２を利用して回路収容凹部９０（上壁９７、両側壁９４）を構成することで、回路収容凹部９０を設けることによるタンク２４の容量減少を小さく抑えることができる。
【０１０８】
なお、上記実施の形態及び変形例では、リブ５８またはレール溝９６によって通常リレーボックス６２の収容開口５４Ｂ、９０Ｂからの脱落が防止される構成としたが、本発明はこれに限定されず、通常時においてもリレーボックス６２が橋架部６０と係合することで収容開口５４Ｂ、９０Ｂからの脱落が防止される構成としても良い。この場合、橋架部６０は、リレーボックス６２のコネクタ部７０からコネクタ７２を外す（引き抜く）際に該リレーボックス６２に係合して該引き抜き力を受ける押さえとしての機能も有する。
【０１０９】
また、上記実施の形態及び変形例では、リレーボックス６２の突起部６８がタンク２４の橋架部６０に係合することで該リレーボックス６２がタンク２４に対し仮保持される好ましい構成としたが、本発明はこれに限定されず、例えば、リレーボックス６２が回路収容凹部５４、９０に圧入して嵌合されることでタンク２４に仮保持されても良い。また、このような仮保持手段を備えない構成が本発明に含まれることは言うまでもない。
【０１１０】
さらに、上記実施の形態及び変形例では、回路収容凹部５４、９０がそれぞれ上壁５５、９７及び奥壁５６、９８を共に有する好ましい構成としたが、本発明はこれに限定されず、例えば、回路収容凹部５４等は、上下方向に共に開口して形成されても良い。また、本発明は、回路収容凹部５４等へのリレーボックス６２の挿入方向がロアタンク２８の型抜き方向と一致する上下方向である好ましい構成に限定されることもない。さらに、本発明は、回路収容凹部５４等がロアタンク２８に設けられる構成に限定されることはなく、例えば、アッパタンク２６に回路収容凹部５４を設けても良く、アッパタンク２６とロアタンク２８とに跨って回路収容凹部５４を設けても良い。すなわち、本発明は、上壁５５等が溶着部２８Ａを含む好ましい構成に限定されない。
【０１１１】
さらにまた、上記実施の形態及び変形例では、橋架部６０が収容開口５４Ｂ、９０Ｂを外側から跨いで橋架する好ましい構成としたが、本発明はこれに限定されず、例えば、橋架部６０が両側壁９４間に位置する構成としても良い。この場合でも、上記の如く回路収容凹部５４、９０が上下方向共に開口した構成では、アンダカット部を形成することなく橋架部６０を得ることが可能となる。また、本発明は、橋架部６０や回路収容凹部５４等がロアタンク２８にアンダカット部を形成させない好ましい構成に限定されることはなく、例えば、リブ５８等を設けず橋架部６０を表面Ｓから突設しても良い。
【０１１２】
また、上記実施の形態及び変形例では、洗浄装置１０がヘッドランプクリーナ装置に適用された例を示したが、本発明はこれに限定されず、例えば、車両のウインドシールドガラスを洗浄するために洗浄液を噴射するウォッシャ装置に洗浄装置１０を適用しても良い。
【０１１３】
さらに、上記実施の形態及び変形例では、回路収容凹部５４、９０が略直方体状のリレーボックス６２に対応して形成された構成としたが、本発明は、リレーボックス６２（すなわち、回路収容凹部５４等）の形状等によっては限定されることはない。また、本発明は、リレーボックス６２内にリレーを収容する構成に限定されることはなく、該リレーボックス６２内には、例えば、リレーに代えてまたはリレーと共に、上記の通り雑音防止器を収容しても良く、ポンプ装置１２の制御回路（例えば、制御回路８４の一部または全部）を収容しても良い。
【０１１４】
以上のように、本発明は、上記実施の形態及び変形例に限定されることはなく、その要旨を変更しない範囲で各種変更して実施可能である。
【図面の簡単な説明】
【図１】本発明の実施の形態に係る洗浄装置の概略の分解斜視図である。
【図２】本発明の実施の形態に係る洗浄装置の要部を拡大して示す正面図である。
【図３】本発明の実施の形態に係る洗浄装置の要部を拡大して示す側面断面図である。
【図４】（Ａ）は図３の４Ａ−４Ａ線に沿った断面図、（Ｂ）は図３の４Ｂ−４Ｂ線に沿った断面図である。
【図５】本発明の実施の形態に係る洗浄装置を構成する回路収容凹部とリレーボックスとを示す斜視図である。
【図６】本発明の実施の形態に係る洗浄装置を構成するタンクへのリレーボックスの取付過程を示す図であって、（Ａ）は回路収容凹部へのリレーボックスの挿入前の状態、（Ｂ）は回路収容凹部へのリレーボックス仮保持状態、（Ｃ）は仮保持状態からリレーボックスにコネクタを接続する際の状態、（Ｄ）はリレーボックスにコネクタが接続された取付完了状態をそれぞれ示す側面断面図である。
【図７】本発明の実施の形態に係る洗浄装置を構成するリレーボックスの概略の電気的接続状態を示すブロック図である。
【図８】本発明の実施の形態に係る洗浄装置の変形例に係る回路収容凹部を示す斜視図である。
【図９】本発明の実施の形態に係る洗浄装置の変形例に係る回路収容凹部にリレーボックスが収容された状態を示す図であって、（Ａ）は側面断面図、（Ｂ）は平面断面図である。
【図１０】従来の洗浄装置における回路ボックスのタンクへの取付構造を示す斜視図である。
【図１１】従来の洗浄装置における回路ボックスのタンクへの取付構造の別例を示す斜視図である。
【符号の説明】
１０…洗浄装置、１２…ポンプ装置、２４…タンク、２６…アッパタンク、２６Ａ…溶着部、２８…ロアタンク、２８Ａ…溶着部、３２…ポンプ収容凹部（第１収容凹部）、５４…回路収容凹部（第２収容凹部）、５４Ａ…挿入口、５４Ｂ…収容開口、５５…上壁（第１壁面）、５６…奥壁（第２壁面）、６０…橋架部、６２…リレーボックス（回路ボックス）、６４Ａ…主面（回路ボックスの表面）、６８…突起部、７０…コネクタ部、７２…コネクタ（外部コネクタ）、７６Ａ・７６Ｂ…給電配線（配線）、９０…回路収容凹部（第２収容凹部）、９０Ａ…挿入口、９０Ｂ…収容開口、９７…上壁（第１壁面）、９８…奥壁（第２壁面）
【図１】
2004025955.tif 000003
【図２】
2004025955.tif 000004
【図３】
2004025955.tif 000005
【図４】
2004025955.tif 000006
【図５】
2004025955.tif 000007
【図６】
2004025955.tif 000008
【図７】
2004025955.tif 000009
【図８】
2004025955.tif 000010
【図９】
2004025955.tif 000011
【図１０】
2004025955.tif 000012
【図１１】
2004025955.tif 000013